(57)【特許請求の範囲】
【請求項１】
光ビームを出射する複数の光源と、
回路基板と、前記回路基板に固定され軸心を中心に回転するポリゴンミラーと、前記回路基板に固定され前記ポリゴンミラーを回転駆動するモータと、を有し、前記複数の光源から出射された複数の光ビームが入射されそれらを偏向走査する光偏向手段と、
前記光偏向手段によって偏向走査された複数の光ビームをそれぞれの被走査面に導く複数の光学系と、
前記複数の光源、前記光偏向手段、前記複数の光学系、及び装置動作時に発熱する発熱部品が搭載された筐体と、
を備えた光走査装置において、
前記ポリゴンミラー及び前記モータは、前記回路基板の中央部よりも一側方に偏って配置され、
前記発熱部品は、前記モータを駆動制御する駆動素子とされ、前記ポリゴンミラー及び前記モータとは離して前記回路基板に設けられ、
前記発熱部品には、該発熱部品が発する熱を吸収して蓄積した後で放熱することにより該発熱部品の温度勾配を制御する蓄熱放熱部材が取り付けられ、
前記蓄熱放熱部材は、下方へ突出された脚部が設けられ、該脚部が前記回路基板に半田付けされて固定され、前記蓄熱放熱部材の上面は、前記ポリゴンミラーの下面よりも軸方向下側に配置されていることを特徴とする光走査装置。
【請求項２】
前記蓄熱放熱部材は突起がなく表面が円滑に形成されていることを特徴とする請求項１記載の光走査装置。
【請求項３】
前記発熱部品はパッケージ化された電子部品とされ、前記蓄熱放熱部材は前記電子部品のパッケージ部よりも熱容量が大きくされていることを特徴とする請求項１又は請求項２記載の光走査装置。
【請求項４】
前記蓄熱放熱部材がアルミニウム合金で形成されていることを特徴とする請求項１〜請求項３の何れか１項記載の光走査装置。
【請求項５】
前記光偏向手段を前記筐体に固定する固定手段を備え、該固定手段を用いて前記蓄熱放熱部材が前記光偏向手段と共に固定されていることを特徴とする請求項１〜請求項４の何れか１項記載の光走査装置。
【請求項６】
請求項１〜請求項５の何れか１項記載の光走査装置を備え、その光走査装置で偏向走査された複数の光ビームにより電子写真方式で複数色の画像を形成することを特徴とする画像形成装置。
【発明の詳細な説明】
【技術分野】
【０００１】
本発明は光走査装置及び画像形成装置に係り、特に、光偏向手段によって偏向走査された複数の光ビームをそれぞれの被走査面に導く複数の光学系と発熱部品が単一の筐体に搭載された光走査装置、及びそれを備えた画像形成装置に関する。
【背景技術】
【０００２】
光走査装置に搭載された光偏向器によって、Ｙ（イエロー）、Ｍ（マゼンタ）、Ｃ（シアン）、Ｋ（ブラック）等の各色に対応する複数の光ビームを偏向走査し、複数の光学系によって各色の感光体ドラム上に結像させることによりカラー画像を形成する電子写真方式のカラー画像形成装置では、環境センサ（温度センサ）によって測定した装置温度に基づいて各色の画像形成タイミングを制御することにより、装置の温度変動によって生じるカラー画像の色ずれ（リードレジずれ）を補正するようにしている（所謂「カラーレジ補正」）。
【０００３】
また近年では、コストを抑えるために、光走査装置のハウジングは樹脂成形品としており、光偏向器については、光偏向器のベースとなる回路基板にポリゴンミラー及びモータを搭載すると共に、モータの回転駆動を制御するためのモータ駆動ＩＣ等を実装してユニット化した安価な汎用品を使用しているものがある。
【０００４】
ただし、このようなユニット化された光偏向器の場合、光偏向器全体が光走査装置のハウジング内に収容されるため、モータ駆動ＩＣ等の発熱部品が発する熱がハウジング内にこもりやすくなる。そして、アルミダイキャスト等の金属製に比べて熱伝導性（吸熱性・放熱性）の低い樹脂製のハウジングでは、内部の熱がハウジングを伝播して放熱されにくくなるため、特に温度上昇幅が大きくなる装置起動直後において、光走査装置（ハウジング）の内部温度と環境センサによる測定温度との間で温度勾配に差が生じ、カラーレジずれが発生する問題がある。
【０００５】
図１４に示すように、例えばカラー画像形成装置の起動後３０分間の温度変化を見ると、光偏向器のモータ駆動ＩＣでは、起動直後に急激に温度上昇して約３分経過した後は徐々に安定し、それに伴って光走査装置（ハウジング）の内部では、起動直後から徐々に温度上昇して２５分程度経過すると約３．５℃の上昇でほぼ安定する。
【０００６】
これに対し、環境センサでは、起動直後はハウジングを介した熱伝播が低く、空気を介した熱伝播が支配的であるため、環境センサまでの伝熱速度が遅くなり、起動直後から８分程度は温度上昇が見られず、それ以降に徐々に上昇して、約３０分経過しないと光走査装置内の温度と等しくならない。
【０００７】
このように、装置起動直後では、光走査装置内の温度の勾配と、環境センサが測定する装置温度の勾配とに差が生じており、環境センサの立ち上がりが光走査装置内の温度上昇に対して遅くなるために、例えばＣ色とＫ色のリードレジ差を見ると、図１５のＩＯＴ上のグラフに示すように、レジコンサイクルに入る直前ではレジずれが大きくなってしまう（ＩＯＴ；Image Output Terminal／画像形成装置）。また、光走査装置（ＲＯＳ；Raster Output Scanner）のポリゴンモータを回転させ、レーザ光源を点灯させたときの光走査装置単体でのＣ色とＫ色のリードレジ差を示すグラフ（ＲＯＳ単体）は、上記のＩＯＴ上のグラフと近似しており、このことから、起動直後のＩＯＴ上でのカラーレジの悪化は、光走査装置以外の熱源による影響は少なく、ほぼ光走査装置の性能によって決定されることがわかる。
【０００８】
また、このＣ色とＫ色におけるリードレジずれは、図１６に示すように、Ｃ色がマイナス側、Ｋ色がプラス側となって相対的に逆方向にずれることで、ずれ量が大きくなっている。なお、この図１６におけるＣ色のずれ量とＫ色のずれ量の差分をとったものが、図１５に示したＲＯＳ単体のリードレジ差のグラフである。
【０００９】
図１７に、図１４〜図１６に示す各データを測定した光走査装置の概略構成を示す。図１７に示す光走査装置１１０ＣＫでは、樹脂製とされた単一のハウジング（光学箱）１１２に、Ｃ色及びＫ色に対応する２つの異なる光学系が設けられており、光偏向器のポリゴンミラー５４で偏向走査されたＫ色に対応する光ビームＫは、ｆθレンズ５６、５８を透過し、シリンドリカルミラー６０Ｋ、反射ミラー６２Ｋ、シリンドリカルミラー６４Ｋ、反射ミラー６６Ｋの計４個のミラーにより反射されて感光体ドラム２４Ｋ上に結像され、同じポリゴンミラー５４で偏向走査されたＣ色に対応する光ビームＣは、同じくｆθレンズ５６、５８を透過した後に、シリンドリカルミラー６０Ｃ、反射ミラー６２Ｃ、シリンドリカルミラー６４Ｃの計３個のミラーにより反射されて２４感光体ドラム２４Ｃ上に結像される。
【００１０】
ここで、装置起動直後では、光偏向器のモータ駆動ＩＣの他に、レーザ光源ドライバ（ＬＤＤ）等に搭載された駆動ＩＣも起動時に急激に温度上昇し、それらの発熱部品によって光走査装置１１０ＣＫ内の空気が暖められ、ポリゴンミラー５４の回転で空気が攪拌されることにより、光走査装置１１０ＣＫ内の温度分布が変化して又は熱風が光学系（例えば反射ミラーに直接あるいは反射ミラーの支持部）に当たってその温度を上昇させる。そして、例えば光ビームＣ、Ｋがｆθレンズ５６、５８を透過して最初に入射するシリンドリカルミラー６０Ｃ、６０Ｋが共に同じ方向に傾くと、シリンドリカルミラー６０Ｃ、６０Ｋで反射された光ビームＣ、Ｋは、点線で示すようにずれて、感光体ドラム２４Ｃ、２４Ｋ上のリードレジは各々逆側にずれてしまい（図１６参照）、カラーレジとしては差分が大きくなってしまう。
【００１１】
このようにして発生するカラーレジずれの対策として、例えば、環境センサによる温度測定の時間間隔を小さくしてレジコンサイクルの回数を増やすことが考えられる。しかしその場合には、上記のカラーレジずれは回避はできるが、画像出力動作を停止させるダウンタイムの回数が多くなって使い勝手が悪くなる。
【００１２】
また、光偏向器自体の温度上昇を抑えるために、上面にポリゴンミラー（回転多面鏡）や駆動用ＩＣが搭載された駆動基板の下面に金属板の一端部を接触させ、その金属板の他端部を光学箱の外部へ露出させることで放熱効果を高めるようにした技術がある（例えば、特許文献１参照）。しかしこの技術では、駆動基板の放熱効果は向上するが、ＩＣパッケージ表面の放熱効果はさほど変わらないため、やはり、装置起動直後にＩＣパッケージの表面が急激に温度上昇してしまい、したがって、光学箱内の温度上昇に伴って発生するカラーレジずれに対しては改善効果が低い。
【００１３】
また、ポリゴンモータの軸受け部にヒートシンクをはめ込み、それをハウジングの外部に露出させた構成もあるが（例えば、特許文献２参照）、この場合、軸受け部の放熱効果は高まるが、モータ駆動ＩＣ等は冷却していないため、カラーレジずれに対する改善効果はさほど得られない。
【００１４】
また、光偏向器のモータ駆動ＩＣに放熱板（フィン）を取り付け、それに高速回転するポリゴンミラーの風を当てることで、ＩＣの放熱効果を高めるようにした技術もある（例えば、特許文献３参照）。しかしこの技術では、モータの信頼性は向上するが、光走査装置内の温度が上昇しやすくなって、カラーレジずれに対しては逆効果となる。
【特許文献１】特開平１１−０５２２７５号公報
【特許文献２】特許３５５０００８号公報
【特許文献３】特開平３−２７９９１０号公報
【発明の開示】
【発明が解決しようとする課題】
【００１５】
本発明は上記事実を考慮して、複数色の画像形成において装置起動直後に発生する各色のレジずれを簡単な構成によって抑え、高品質な画像を形成することができる光走査装置及び画像形成装置を提供することを課題とする。
【課題を解決するための手段】
【００１６】
上記目的を達成するために請求項１に記載の発明は、光ビームを出射する複数の光源と、回路基板と、前記回路基板に固定され軸心を中心に回転するポリゴンミラーと、前記回路基板に固定され前記ポリゴンミラーを回転駆動するモータと、を有し、前記複数の光源から出射された複数の光ビームが入射されそれらを偏向走査する光偏向手段と、前記光偏向手段によって偏向走査された複数の光ビームをそれぞれの被走査面に導く複数の光学系と、前記複数の光源、前記光偏向手段、前記複数の光学系、及び装置動作時に発熱する発熱部品が搭載された筐体と、を備えた光走査装置において、前記ポリゴンミラー及び前記モータは、前記回路基板の中央部よりも一側方に偏って配置され、前記発熱部品は、前記モータを駆動制御する駆動素子とされ、前記ポリゴンミラー及び前記モータとは離して前記回路基板に設けられ、前記発熱部品には、該発熱部品が発する熱を吸収して蓄積した後で放熱することにより該発熱部品の温度勾配を制御する蓄熱放熱部材が取り付けられ、前記蓄熱放熱部材は、下方へ突出された脚部が設けられ、該脚部が前記回路基板に半田付けされて固定され、前記蓄熱放熱部材の上面は、前記ポリゴンミラーの下面よりも軸方向下側に配置されていることを特徴としている。
【００１７】
請求項１に記載の発明では、装置の起動直後に発熱部品が温度上昇する過程で、発熱部品から発せられた熱は蓄熱放熱部材に吸収されて蓄積されるため（吸熱／蓄熱）、温度上昇が緩やかになるよう温度勾配が制御される。この蓄熱放熱部材は、発熱部品の放熱を促進して冷却する放熱部材（ヒートシンク）等とは異なり、吸収した熱を蓄積するものであるため、装置起動直後における蓄熱放熱部材から筐体内の空気への放熱量は抑制され、蓄熱放熱部材の蓄熱量が増加して温度が徐々に上昇するのに伴い徐々に放熱される。そのため、筐体内（光走査装置内）の温度についても、上昇が緩やかになるよう温度勾配が制御される。これにより、筐体内に設けられた各光学系の熱影響による位置ずれも緩やかになり、各光ビームによって走査される被走査面上でのレジ変動の勾配が緩やかになる。
【００１８】
このように、発熱部品に蓄熱放熱部材を取り付けた簡単な構成によって、複数色の画像形成において装置起動直後に発生する各色のリードレジずれが抑えられ、高品質な画像を形成することができる。また、光偏向手段に設けられた回転多面鏡がモータ等の回転駆動源に駆動されて回転し、回転多面鏡の径方向における周囲に空気流が生じた際に、回転駆動源を駆動する駆動素子に取り付けられた蓄熱放熱部材の上面が、回転多面鏡の下面よりも軸方向下側に配置されていることで、蓄熱放熱部材に当たる風量が少なくされ、蓄熱放熱部材からの放熱量が抑えられる。さらに、光偏向手段の回路基板に蓄熱放熱部材を半田付けして固定することにより、蓄熱放熱部材が発熱部品に間接的に取り付けられる。このような半田付けを用いることで、蓄熱放熱部材を発熱部品に簡単且つ強固に取り付けることができる。また、発熱部品がパッケージ化された電子部品や駆動素子の場合には、それらに蓄熱放熱部材を直接取り付ける場合に比べて、リード部に掛かる負荷を軽減することができる。
【００１９】
請求項２に記載の発明は、請求項１記載の光走査装置において、前記蓄熱放熱部材は突起がなく表面が円滑に形成されていることを特徴としている。
【００２０】
請求項２に記載の発明では、蓄熱放熱部材には、例えばヒートシンクに設けられるような放熱フィンなどの突起がなく、表面が円滑に形成されて、表面積が小さくされている。これにより、蓄熱放熱部材の放熱抑制効果が高められ、筐体内の温度上昇をより緩やかにする温度勾配の制御が可能となる。
【００２１】
請求項３に記載の発明は、請求項１又は請求項２記載の光走査装置において、前記発熱部品はパッケージ化された電子部品とされ、前記蓄熱放熱部材は前記電子部品のパッケージ部よりも熱容量が大きくされていることを特徴としている。
【００２２】
請求項３に記載の発明では、蓄熱部材の熱容量が、例えば樹脂材料等によって形成された電子部品のパッケージ部よりも大きいことで、パッケージ部の表面から放出される熱を蓄熱部材によって十分に蓄積することができ、電子部品（発熱部品）から筐体内の空気へ直接伝播される伝熱量（放熱量）を抑制することができる。
【００２５】
請求項４に記載の発明は、請求項１〜請求項３の何れか１項記載の光走査装置において、前記蓄熱放熱部材がアルミニウム合金で形成されていることを特徴としている。
【００２６】
請求項４に記載の発明では、アルミニウム合金を用いることで、小型で且つ熱容量の大きい蓄熱放熱部材を安価に作製することができる。また、成形や機械加工も容易であるため、所望する形状の蓄熱放熱部材を簡単に作製することができる。
【００２７】
請求項５に記載の発明は、請求項１〜請求項４の何れか１項記載の光走査装置において、前記光偏向手段を前記筐体に固定する固定手段を備え、該固定手段を用いて前記蓄熱放熱部材が前記光偏向手段と共に固定されていることを特徴としている。
【００２８】
請求項５に記載の発明では、光偏向手段を筐体に固定するための固定手段を用いて蓄熱放熱部材を光偏向手段と共に固定することにより、蓄熱放熱部材が発熱部品に間接的に取り付けられる。このような固定手段を利用することで、蓄熱放熱部材を発熱部品に簡単且つ強固に取り付けることができる。また、発熱部品がパッケージ化された電子部品や駆動素子の場合には、それらに蓄熱放熱部材を直接取り付ける場合に比べて、リード部（半田付け部）に掛かる負荷を軽減することができる。
【００３１】
請求項６に記載の発明に係る画像形成装置は、請求項１〜請求項５の何れか１項記載の光走査装置を備え、その光走査装置で偏向走査された複数の光ビームにより電子写真方式で複数色の画像を形成することを特徴としている。
【００３２】
上記の光走査装置を備えた電子写真方式の画像形成装置であれば、装置の起動直後においても色ずれが抑えられた高品質な画像を形成することができる。
【発明の効果】
【００３３】
本発明の光走査装置及び画像形成装置によれば、簡単な構成により、複数色の画像形成における各色のレジずれが抑えられて、高品質な画像を形成することができる。
【発明を実施するための最良の形態】
【００３４】
以下、図面を参照して本発明の実施形態の一例を詳細に説明する。
【００３５】
〔第１実施形態〕
本実施形態に係る画像形成装置１０は、図１に示すように、光走査装置２８ＣＫ、光走査装置２８ＹＭを備えている。光走査装置２８ＣＫは、感光体ドラム２４Ｃと感光体ドラム２４Ｋに走査露光するものであり、Ｃ（シアン）、Ｋ（ブラック）の各色に対応した光学系を備えている。光走査装置２８ＹＭは、感光体ドラム２４Ｙと感光体ドラム２４Ｍに走査露光するものであり、Ｙ（イエロー）、Ｍ（マゼンタ）の各色に対応した光学系を備えている。
【００３６】
また、画像形成装置１０は、Ｙ（イエロー）、Ｍ（マゼンタ）、Ｃ（シアン）、Ｋ（ブラック）、の４色のトナー像を形成する電子写真ユニット１２Ｙ、 １２Ｍ、１２Ｃ、１２Ｋを備えている。電子写真ユニット１２Ｙは、感光体ドラム２４Ｙの周囲に帯電装置２６Ｙ、光走査装置２８ＹＭ、現像装置３０Ｙ、転写装置１４Ｙ、クリーニング装置３２Ｙを配置して構成されている。電子写真ユニット１２Ｍ〜１２Ｋについても同様の構成である。
【００３７】
さらに、画像形成装置１０は、転写装置１４Ｙ〜１４Ｋによって各トナー像が積層されてカラートナー像とされる中間転写ベルト１６と、中間転写ベルト１６上に転写されたカラートナー像をトレイ１８から供給された用紙に転写する転写装置２０と、用紙上に転写されたカラートナー像を溶融定着させる定着装置２２とを備えている。
【００３８】
図２に示すように、光走査装置２８ＹＭ、２８ＣＫは、樹脂製（成形品）で矩形箱状に形成されたハウジング３４を備えている。なお、光走査装置２８ＹＭ、２８ＣＫの内部は、ほぼ同様の構造とされているため、ここでは、光走査装置２８ＣＫについてのみ説明する。
【００３９】
図３及び図４に示すように、ハウジング３４には、Ｋ色に対応する光ビームＫを出射する光源部４０Ｋと、Ｃ色に対応する光ビームＣ出射する光源部４０Ｃが、出射方向が互いに略９０度となるように配置されている。本実施形態では、発光源として、面発光型の半導体レーザを使用している。図４に示すように、光源部４０Ｃ、４０Ｋは、面発光レーザチップ４１Ｃ、４１Ｋ及び、保持部材４３Ｃ、４３Ｋで構成されている。面発光レーザチップ４１Ｃ、４１Ｋは、同時に複数本の光レーザを出射可能とされている。保持部材４３Ｃ、４３Ｋは、面発光レーザチップ４１Ｃ、４１Ｋを保持するための部材であり、通称ＬＣＣ（Ｌｅａｄｌｅｓｓ  Ｃｈｉｐ  Ｃａｒｒｉｅｒ）と呼ばれており、ここでは材質としてセラミックを使用している。面発光レーザチップ４１Ｃ、４１Ｋは、保持部材４３Ｃ、４３Ｋを介して、電気回路が実装された回路基板４５Ｃ、４５Ｋに、各々電気的に接続されている。
【００４０】
光ビームＣを出射する光源部４０Ｃは、光ビームＫを出射する光源部４０Ｋに対して高さ方向をずらして設置され、光ビームＣと光ビームＫとは高さ方向に所定の距離離間するように配置されている。
【００４１】
光源部４０Ｋから出射された光ビームＫの光路上には、光ビームＫを平行光にするためのコリメータレンズユニット４２Ｋが設けられている。コリメータレンズユニット４２Ｋを通過した光ビームＫは、反射ミラー４４の下を通り抜け、スリット板４６Ｋに入射して光路上に設けられたハーフミラー４８に入射する。ハーフミラー４８は、光ビームＫを、通過する光ビームＫと、反射し光パワーモニタ５０に入射する光ビームＢＫとに所定の割合で振り分ける。本実施形態では面発光レーザを用いているため、光量制御のための光をバックビームから得ることができないため、このように前方に出射された光ビームの一部を利用する。ハーフミラー４８を通過した光ビームＫは、シリンドリカルレンズ５２Ｋを通過し、図３に示すように、光路上に設けられた光偏向器７０のポリゴンミラー５４に入射する。
【００４２】
一方、光源部４０Ｃから出射された光ビームＣの光路上には、光ビームＣを平行光にするためのコリメータレンズユニット４２Ｃが設けられている。コリメータレンズユニット４２Ｃを通過した光ビームＣは、反射ミラー４４で偏向され、スリット板４６Ｃに入射して光路上に設けられたハーフミラー４８に入射する。ハーフミラー４８は、光ビームＣを、通過する光ビームＣと、反射し光パワーモニタ５０に入射する光ビームＢＣとに所定の割合で振り分ける。ハーフミラー４８を通過した光ビームＣは、シリンドリカルレンズ５２Ｃを通過し、図３に示すように、光路上に設けられた光偏向器７０のポリゴンミラー５４に入射する。
【００４３】
ポリゴンミラー５４には、複数の反射鏡面が設けられ、ポリゴンミラー５４に入射した光ビームＣ、Ｋは、図５にも示すように、反射鏡面で偏向反射されてｆθレンズ５６、５８に入射する。ポリゴンミラー５４、ｆθレンズ５６、５８は、光ビームＣ、Ｋを同時に走査できる大きさになっている。
【００４４】
ｆθレンズ５６を通過した２色の光ビームＣ、Ｋは分離され、それぞれ副走査側にパワーを持つシリンドリカルミラー６０Ｃ、６０Ｋに反射される。シリンドリカルミラー６０Ｋによって反射された光ビームＫは、反射ミラー６２Ｋへ折り返され、さらに、シリンドリカルミラー６４Ｋ、反射ミラー６６Ｋによって偏向され、感光体ドラム２４Ｋに結像されて静電潜像を形成する。
【００４５】
また、シリンドリカルミラー６０Ｃによって反射された光ビームＣは、反射ミラー６２Ｃへ折り返され、さらに、シリンドリカルミラー６４Ｃによって偏向され、感光体ドラム２４Ｃ上に結像されて静電潜像を形成する。
【００４６】
このように、本実施形態の光走査装置２８ＣＫ（２８ＹＭ）では、複数（２つ）の異なる光学系が１つのハウジング３４内に備えられている。
【００４７】
図６には、上述した本実施形態に係る光偏向器７０が示されており、図７には、光偏向器７０が光走査装置２８ＣＫ、光走査装置２８ＹＭのハウジング３４内に収容されて取り付けられた状態が示されている。
【００４８】
この光偏向器７０は市販品（汎用品）であり、図７に示すように、光偏向器７０のベースとなる平面視矩形状のプリント配線板７２を備え、その中央部よりも一側方に偏って、軸心Ｌを中心に回転するポリゴンミラー５４、及びポリゴンミラー５４を回転駆動するモータ７４が配置されている。また、ポリゴンミラー５４はアルミニウム製で多角形柱状に形成されており、各側面は鏡面に加工されている。
【００４９】
図６に示すように、プリント配線板７２の上面における他側方には、ポリゴンミラー５４及びモータ７４の回転駆動を制御するための駆動ＩＣ７８が実装されており、他側端部には、電源及び信号ケーブルが接続されるコネクタ７６が実装されている。この駆動ＩＣ７８は、パッケージ化された電子部品であり、パッケージ部７８Ａが樹脂材料によって形成されている。
【００５０】
駆動ＩＣ７８の上面には、熱伝導性接着剤又は熱伝導性粘着テープ等の熱伝導性の高い接着部材８２を介して蓄熱部材８０が取り付けられている。
【００５１】
蓄熱部材８０は、アルミニウム合金製で、駆動ＩＣ７８よりも大型の直方体状（ブロック状）に形成されており、駆動ＩＣ７８のパッケージ部７８Ａよりも熱容量が大きくされている。また、このような直方体形状であることにより、全ての面（６面）は平面状で、突起がなく表面が円滑に形成されている。
【００５２】
さらに、駆動ＩＣ７８に取り付けられた状態で、蓄熱部材８０の上面８０Ａはポリゴンミラー５４の下面５４Ａよりも軸方向（矢印Ｚ方向）において下側に配置されており、それらの間には所定の隙間Ｈが設けられている。
【００５３】
そして、この光偏向器７０は、図７に示すように、プリント配線板７２の長手方向がハウジング３４の幅方向（矢印Ｗ方向）に向けられてハウジング３４の底面上（光偏向器取付部８４）に載置され、プリント配線板７２の四隅が４本のネジ８６により固定されて取り付けられており、このように、発熱部品となる駆動ＩＣ７８を含む機器全体がハウジング３４内に収容されている。また、本実施形態の光走査装置２８ＹＭ、２８ＣＫでは、ハウジング３４を樹脂成形品とし、光偏向器７０についてはユニット化された安価な汎用品を使用していることにより、コストが抑えられている。
【００５４】
次に、本実施形態の作用について説明する。画像形成装置１０の起動後に、画像形成動作が開始されると、光走査装置２８ＹＭ、２８ＣＫでは、ハウジング３４の光偏向器取付部８４に取り付けられた光偏向器７０は、前述したように、２つの光源部４０から出射された２本の光ビームがポリゴンミラー５４へ入射され、そのポリゴンミラー５４を高速回転させることにより２本の光ビームを偏向走査する。ただし、１つのハウジング３４内に２つの異なる光学系が備えられてことで、ミラー枚数の違い（特に光偏向器７０以降）や光学部品の配置、光ビームの各ミラーへの入射角度、によりリードレジのずれる（移動する）方向と量が異なる。
【００５５】
ここで、装置の起動直後に駆動ＩＣ７８が温度上昇する過程では、駆動ＩＣ７８から発せられた熱は接着部材８２を介して蓄熱部材８０に吸収されて蓄積されるため（吸熱／蓄熱）、温度上昇が緩やかになるよう温度勾配が制御される。この蓄熱部材８０は、例えば駆動ＩＣ７８の放熱を促進して冷却するヒートシンク等とは異なり、吸収した熱を蓄積するものであるため、装置起動直後における蓄熱部材８０からハウジング３４内の空気への放熱量は抑制され、蓄熱部材８０の蓄熱量が増加して温度が徐々に上昇するのに伴い徐々に放熱される。そのため、ハウジング３４内の温度についても、上昇が緩やかになるよう温度勾配が制御される。これにより、ハウジング３４内に設けられた各光学系の熱影響による位置ずれも緩やかになり、各光ビームによって走査される被走査面（感光体ドラム２４Ｙ、２４Ｍ、２４Ｃ、２４Ｋ）上でのレジ変動の勾配が緩やかになる。
【００５６】
図８〜図１１に、蓄熱部材８０の有無による各測定項目の比較結果を示す。上記の蓄熱部材８０を駆動ＩＣ７８に取り付けることで、図８に示すように、駆動ＩＣ７８の温度勾配は緩くなり、それに伴い、図９に示すように、ハウジング３４内の温度勾配も緩くなる。そして、図１０及び図１１に示すように、カラーレジの変動勾配も緩くなり、同一時間経過後でカラーレジ変動は約半減することができている。
【００５７】
このように、上記の光走査装置２８ＹＭ、２８ＣＫを備える画像形成装置１０では、光偏向器７０の駆動ＩＣ７８に蓄熱部材８０を取り付けた簡単な構成によって、カラー画像の形成において装置起動直後に発生する各色のリードレジずれが抑えられ、高品質な画像を形成することができる。
【００５８】
また、本実施形態の蓄熱部材８０は突起がなく表面が円滑に形成されていることにより、蓄熱部材８０の放熱抑制効果が高められ、ハウジング３４内の温度上昇をより緩やかにする温度勾配の制御が可能となる。
【００５９】
さらに、蓄熱部材８０の熱容量が、樹脂材料によって形成された駆動ＩＣ７８のパッケージ部７８Ａよりも大きいことで、パッケージ部７８Ａの表面から放出される熱を蓄熱部材８０によって十分に蓄積することができ、駆動ＩＣ７８からハウジング３４内の空気へ直接伝播される伝熱量（放熱量）を抑制することができる。
【００６０】
また、光偏向器７０のポリゴンミラー５４がモータ７４に駆動されて回転すると、ポリゴンミラー５４の径方向における周囲に空気流が生じるが、本実施形態では、駆動ＩＣ７８に取り付けられた蓄熱部材８０の上面８０Ａが、ポリゴンミラー５４の下面５４Ａよりも軸方向下側に配置されていることで、蓄熱部材８０に当たる風量が少なくされ、蓄熱部材８０からの放熱量が抑えられる。
【００６１】
また、蓄熱部材８０をアルミニウム合金で形成することにより、小型で且つ熱容量の大い蓄熱部材を安価に作製することができる。また、成形や機械加工も容易であるため、所望する形状の蓄熱部材を簡単に作製することができる。
【００６２】
〔第２実施形態〕
次に本発明の第２実施形態について説明する。本第２実施形態は、蓄熱部材の取付構造を変更した変形例であり、第１実施形態と同一の部分には同一の符号を付して説明を省略し、第１実施形態と異なる部分についてのみ説明する。
【００６３】
図１２に示すように、第２実施形態に係る蓄熱部材９０は、下面の外側端部（図中の左側端部）に、下方へ突出された脚部９２が設けられており、脚部９２の外側面における下端部からは、平板状の固定部９４が外側方へ向けて突出されている。そして、この固定部９４は、先端部に形成された図示しない貫通孔が、光偏向器７０をハウジング３４に固定するネジ８６に共締めされており、これによって、蓄熱部材９０は、下面が駆動ＩＣ７８に上面に接触して、駆動ＩＣ７８上に取り付けられた状態となっている。
【００６４】
このように、本実施形態では、光偏向器７０をハウジング３４に固定するためのネジ８６を用いて蓄熱部材９０を光偏向器７０と共に固定することにより、蓄熱部材９０が駆動ＩＣ７８に間接的に取り付けられており、このようなネジ部材からなる固定手段を利用することで、蓄熱部材９０を駆動ＩＣ７８に簡単且つ強固に取り付けることができる。また、本実施形態のように、パッケージ化された駆動ＩＣ７８では、第１実施形態のように蓄熱部材を直接取り付ける構成に比べて、リード部（半田付け部）に掛かる負荷を軽減することができる。また、駆動ＩＣ７８と蓄熱部材９０の間に接着部材等を介在させる必要もないので、駆動ＩＣ７８から蓄熱部材９０への熱伝導効率が高められる。
【００６５】
〔第３実施形態〕
次に本発明の第３実施形態について説明する。本第３実施形態も、蓄熱部材の取付構造を変更した変形例であり、第１実施形態と同一の部分には同一の符号を付して説明を省略し、第１実施形態と異なる部分についてのみ説明する。
【００６６】
図１３に示すように、第３実施形態に係る蓄熱部材１００は、下面の両側端部（図中の左右側端部）に、下方へ突出された一対の脚部１０２が設けられており、各脚部１０２の外側面における下端部からは、突起状の固定部１０４が外側方へ向けて突出されている。そして、これら固定部１０４は、プリント配線板７２の上面に形成された図示しない銅箔ランドに半田１０６によって固定されており、これによって、この蓄熱部材１００も、下面が駆動ＩＣ７８に上面に接触して、駆動ＩＣ７８上に取り付けられた状態となっている。
【００６７】
このように、本実施形態では、光偏向器７０のプリント配線板７２に蓄熱部材１００を半田付けして固定することにより、蓄熱部材１００が駆動ＩＣ７８に間接的に取り付けられており、このような半田付けを用いることで、蓄熱部材１００を駆動ＩＣ７８に簡単且つ強固に取り付けることができる。また、第２実施形態と同じく、駆動ＩＣ７８のリード部（半田付け部）に掛かる負荷を軽減することができるとともに、駆動ＩＣ７８と蓄熱部材１００の間に接着部材等を介在させる必要もないので、駆動ＩＣ７８から蓄熱部材１００への熱伝導効率を高めることができる。
【００６８】
以上、本発明を上述した第１〜第３実施形態により詳細に説明したが、本発明はそれらの実施形態に限定されるものではなく、本発明の範囲内にて他の種々の形態が実施可能である。
【図面の簡単な説明】
【００６９】
【図１】本発明の第１実施形態に係る画像形成装置の構成を示す概略図である。
【図２】本発明の第１実施形態に係る光走査装置を示す斜視図である。
【図３】本発明の第１実施形態に係る光走査装置の主要構成部品を示す平面図である。
【図４】本発明の第１実施形態に係る光走査装置の主要構成部品を示す斜視図である。
【図５】本発明の第１実施形態に係る光走査装置の光路を示す図である。
【図６】本発明の第１実施形態に係る蓄熱部材が設けられた光偏向器を示す正面図である。
【図７】本発明の第１実施形態に係るハウジングの光偏向器取付部付近を示す斜視図である。
【図８】蓄熱部材の有無によるモータ駆動ＩＣの温度勾配の比較結果を示すグラフ図である。
【図９】蓄熱部材の有無によるＲＯＳ内の温度勾配の比較結果を示すグラフ図である。
【図１０】蓄熱部材の有無によるＲＯＳ単体でのＣ色とＫ色のリードレジ差の比較結果を示すグラフ図である。
【図１１】蓄熱部材の有無による HYPERLINK "http://192.168.0.10/gaiscgi/getfilelist.exe?no=-2&filelist=..\\tmp\\que2B50.tmp&page=3" ＩＯＴ上でのＣ色とＫ色のリードレジ差の比較結果を示すグラフ図である。
【図１２】本発明の第２実施形態に係る蓄熱部材が設けられた光偏向器を示す正面図である。
【図１３】本発明の第３実施形態に係る蓄熱部材が設けられた光偏向器を示す正面図である。
【図１４】従来のモータ駆動ＩＣ、ＲＯＳ内、及び環境センサの温度勾配の差を示すグラフ図である。
【図１５】従来のＲＯＳ単体及び HYPERLINK "http://192.168.0.10/gaiscgi/getfilelist.exe?no=-2&filelist=..\\tmp\\que2B50.tmp&page=3" ＩＯＴ上におけるＣ色とＫ色のリードレジ差を示すグラフ図である。
【図１６】従来のＲＯＳ単体におけるＣ色とＫ色のリードレジずれ方向の違いを示すグラフ図である。
【図１７】従来の光走査装置の光路と、Ｃ色及びＫ色の光ビームのずれ方向を説明する説明図である。
【符号の説明】
【００７０】
１０  画像形成装置
２４Ｙ、２４Ｍ、２４Ｃ、２４Ｋ  感光体ドラム（被走査面）
２８ＣＫ  光走査装置
２８ＹＭ  光走査装置
３４  ハウジング（筐体）
４０  光源部（光源）
５４  ポリゴンミラー
５４Ａ  下面
５６、５８  ｆθレンズ（光学系）
６０Ｙ、６０Ｍ、６０Ｃ、６０Ｋ  シリンドリカルミラー（光学系）
６２Ｙ、６２Ｍ、６２Ｃ、６２Ｋ  反射ミラー（光学系）
６４Ｙ、６４Ｍ、６４Ｃ、６４Ｋ  シリンドリカルミラー（光学系）
６６Ｍ、６６Ｋ  反射ミラー（光学系）
７０  光偏向器（光偏向手段）
７８  駆動ＩＣ（発熱部品／電子部品／駆動素子）
７８Ａ  パッケージ部
８０  蓄熱部材（蓄熱放熱部材）
８０Ａ  上面
８６  ネジ（固定手段）
９０  蓄熱部材（蓄熱放熱部材）
９０  蓄熱部材（蓄熱放熱部材）
Ｙ、Ｍ、Ｃ、Ｋ  光ビーム
【図１】
0004650147.tif 000002
【図２】
0004650147.tif 000003
【図３】
0004650147.tif 000004
【図４】
0004650147.tif 000005
【図５】
0004650147.tif 000006
【図６】
0004650147.tif 000007
【図７】
0004650147.tif 000008
【図８】
0004650147.tif 000009
【図９】
0004650147.tif 000010
【図１０】
0004650147.tif 000011
【図１１】
0004650147.tif 000012
【図１２】
0004650147.tif 000013
【図１３】
0004650147.tif 000014
【図１４】
0004650147.tif 000015
【図１５】
0004650147.tif 000016
【図１６】
0004650147.tif 000017
【図１７】
0004650147.tif 000018